(57)【要約】【課題】  草等の刈払対象物を弾き飛ばすことなく確実に切断することができ、且つ、異物や衝撃で破損した破片等を飛び散らせることがなく、安全性の高い刈払機用刃物を提供すること。【解決手段】  板状をなす刈払機用刃物本体と、上記刈払機用刃物本体の外周に設けられた複数の刈払部と、を具備し、上記刈払部は放射方向を基準にして回転方向後方側に傾斜し刃を有していて刈払対象物を切断する切断部と、該切断部の回転方向前方側に設けられ回転方向後方側に向かってその半径を徐々に小さくし上記刈払対象物を上記切断部に追い込む追込部と、からなる刈払機用刃物。【選択図】図３
2013078280.tif 000002
【特許請求の範囲】
【請求項１】
板状をなす刈払機用刃物本体と、
上記刈払機用刃物本体の外周に設けられた複数の刈払部と、
を具備し、
上記刈払部は放射方向を基準にして回転方向後方側に傾斜し刃を有していて刈払対象物を切断する切断部と、該切断部の回転方向前方側に設けられ回転方向後方側に向かってその半径を徐々に小さくし上記刈払対象物を上記切断部に追い込む追込部と、からなることを特徴とする刈払機用刃物。
【請求項２】
請求項１記載の刈払機用刃物において、
上記追込部の上記切断部との境界部付近には上記切断部の刃と連続した刃が形成されていることを特徴とする刈払機用刃物。
【請求項３】
請求項２記載の刈払機用刃物において、
上記刃は下面側のみに傾斜面が形成されたものであることを特徴とする刈払機用刃物。
【請求項４】
請求項３記載の刈払機用刃物において、
上記切断部の刃は上記追込部の刃より鋭利に形成されていること特徴とする刈払機用刃物。
【請求項５】
請求項４記載の刈払機用刃物において、
上記追込部の回転方向前方側端部には刃保護部が突出・形成されていることを特徴とする刈払機用刃物。
【請求項６】
請求項５記載の刈払機用刃物において、
上記刈払部の数が３つであることを特徴とする刈払機用刃物。
【請求項７】
請求項６記載の刈払機用刃物において、
上記切断部の回転方向後方側への傾斜角度α°が１０°〜３０°であることを特徴とする刈払機用刃物。
【請求項８】
請求項７記載の刈払機用刃物において、
軽量化のための抜き孔が形成されていることを特徴とする刈払機用刃物。
【発明の詳細な説明】
【技術分野】
【０００１】
本発明は、例えば、刈払機に使用される刈払機用刃物に係り、特に、外周に複数の刈払部が設けられていて、この刈払部は回転方向後方側に傾斜しそこに刃が形成された切断部と、該切断部の回転方向前方側に設けられ回転方向後方側に向かってその半径を徐々に小さくし草等の刈払対象物を上記切断部に追い込む追込部とを有し、追込部によって草等の刈払対象物を切断部へと追い込み、その追い込まれた草等の刈払対象物を切断部によって効率良く切断することができるように工夫したものに関する。
【背景技術】
【０００２】
刈払機に使用される刈払機用刃物としては、例えば、図９〜図１２に示されるようなものがある。
まず、図９に示されている刈払機用刃物（チップソー）１０１は、円板状部材１０３の中心に取付用孔１０５が穿孔されるとともに、その外周縁部に多数の（例えば、４０個〜７０個）の突起１０７が形成された構成になっている。その個々の突起１０７の回転方向前方側（図９中反時計回り方向側）側面には切断用チップ１０９が固着されている。
【０００３】
次に、図１０に示す刈払機用刃物（ロープ式カッター）１１１は、本体１１３に複数（例えば、２個）の切断用ロープ（例えば、ナイロン製のもの）１１５、１１５が取り付けられた構成になっている。この刈払機用刃物１１１を刈払機に取り付けて回転させると、上記切断用ロープ１１５、１１５がその回転力により草等の刈払対象物に衝突し、これにより上記草等の刈払対象物が切断されるものである。
【０００４】
次に、図１１に示す刈払機用刃物１２９は、例えば、２．０ｍｍ〜３．０ｍｍの鋼板を切り抜いて形成されたものであり、円板状部材１３１の中心に取付用孔１３３が穿孔されるとともに、その外周縁部に複数（例えば、４個）の切刃部１３５が形成された構成になっている。上記切刃部１３５は略長方形形状をなしており、その回転方向前方側の一辺は刃が形成された切断部１３７となっている。
【０００５】
さらに、図１２に示す刈払機用刃物１３９は、円板状部材１４１に取付用孔１４３が穿孔されるとともに、その外周側に複数（例えば４個）の刃１４５が軸部材１４７を介して回動可能に取り付けられた構成になっている。この刃１４５は、使用時に上記円板状部材１３９が回転されると、遠心力により先端側が外周側に向けて飛び出すようになる。そして、この飛び出した刃１４５によって草等の刈払対象物を切断するものである。また、上記刃１４５は、例えば、プラスチック製であり、破損した場合等は交換できるようになっている。
【０００６】
また、刈払機用刃物としては、そのほかに、特許文献１に記載されたようなものもある。
【先行技術文献】
【特許文献】
【０００７】
【特許文献１】実開平１−１１８６１９号公報
【発明の概要】
【発明が解決しようとする課題】
【０００８】
しかし、従来の構成では、次のような問題があった。
例えば、図９に示すような刈払機用刃物１０１では、多数のチップ１０９が取り付けられているため、回転すると上記チップ１０９が草等の刈払対象物に頻繁に衝突することになり、これにより草等の刈払対象物は上記刈払機用刃物１０１の外周側に弾き飛ばされてしまう。その為、刈払機用刃物１０１を草等の刈払対象物に素早く押し込まないとこれを切断することができず、その結果、作業に多くの労力を要してしまうという問題があった。
また、上記刈払機用刃物１０１を草等の刈払対象物に押し込むと、切断された草等の刈払対象物が上記刈払機用刃物１０１側に倒れ込んで刈払機の回転軸に巻き込まれ、上記刈払機用刃物１０１の回転が停止してしまうことも懸念される。
このような問題は、図１０、図１１、図１２に示すような刈払機用刃物においても同様である。
また、上記刈払機用刃物１０１は多数のチップ１０９が固着された構成となっているが、このチップ１０９が石等に衝突した際、その衝撃によって破損したり突起１０７から外れたりすることによって飛び散り、事故の原因となっていた。
【０００９】
また、特許文献１に開示されている刈払機用刃物（皿型草刈刃）の場合には、外周側に突出・形成された切刃部が設けられている。しかし、上記切刃部には放射方向先端部分のみに切断用の刃が形成されているため、草等の刈払対象物を効率良く切断することはできなかった。
【００１０】
本願発明は、このような点に基づいてなされたもので、その目的とするところは、草等の刈払対象物を切断部に効率良く追い込み、この追い込んだ草等の刈払対象物を弾き飛ばすことなく効率良く切断することができ、且つ、異物や衝撃で破損した破片等を飛び散らせることがなく、安全性の高い刈払機用刃物を提供することにある。
【課題を解決するための手段】
【００１１】
上記課題を解決するべく請求項１に記載された刈払機用刃物は、板状をなす刈払機用刃物本体と、上記刈払機用刃物本体の外周に設けられた複数の刈払部と、を具備し、上記刈払部は放射方向を基準にして回転方向後方側に傾斜し刃を有していて刈払対象物を切断する切断部と、該切断部の回転方向前方側に設けられ回転方向後方側に向かってその半径を徐々に小さくし上記刈払対象物を上記切断部に追い込む追込部と、からなることを特徴とするものである。
また、請求項２に記載された刈払機用刃物は、請求項１記載の刈払機用刃物において、上記追込部の上記切断部との境界部付近には上記切断部の刃と連続した刃が形成されていることを特徴とするものである。
また、請求項３に記載された刈払機用刃物は、請求項２記載の刈払機用刃物において、上記刃は下面側のみに傾斜面が形成されたものであることを特徴とするものである。
また、請求項４に記載された刈払機用刃物は、請求項３記載の刈払機用刃物において、上記切断部の刃は上記追込部の刃より鋭利に形成されていること特徴とするものである。
また、請求項５に記載された刈払機用刃物は、請求項４記載の刈払機用刃物において、上記追込部の回転方向前方側端部には刃保護部が突出・形成されていることを特徴とするものである。
また、請求項６に記載された刈払機用刃物は、請求項５記載の刈払機用刃物において、上記刈払部の数が３つであることを特徴とするものである。
また、請求項７に記載された刈払機用刃物は、請求項６記載の刈払機用刃物において、上記切断部の回転方向後方側への傾斜角度α°が１０°〜３０°であることを特徴とするものである。
また、請求項８に記載された刈払機用刃物は、軽量化のための抜き孔が形成されていることを特徴とするものである。
【発明の効果】
【００１２】
以上述べたように、請求項１記載の刈払機用刃物によると、板状をなす刈払機用刃物本体と、上記刈払機用刃物本体の外周に設けられた複数の刈払部と、を具備し、上記刈払部は放射方向を基準にして回転方向後方側に傾斜し刃を有していて刈払対象物を切断する切断部と、該切断部の回転方向前方側に設けられ回転方向後方側に向かってその半径を徐々に小さくし上記刈払対象物を上記切断部に追い込む追込部と、からなるため、上記追込部によって上記刈払対象物を切断部へ追込んで、その追い込んだ刈払対象物を弾き飛ばすことなく、切断部によって回転方向後方側へと受け流すように外周側へと移動させつつ効率よく切断することができる。これによって刈払対象物が切断されて生じた切断片は外周側へと移動され、上記刈払機用刃物を取り付けた回転軸に絡まるのを防止することもできる。また、このような効果によって、上記刈払対象物へと上記刈払機用刃物を押し付ける必要がなくなり、作業者の負担が軽減されることとなる。また、切断用のチップを取り付ける構成とする必要がなく、石等に衝突した衝撃でチップが外れたり破損したりして飛び散ることによる事故が起きない構成とすることができ、これによって作業時の安全性を高めることができる。
また、請求項２記載の刈払機用刃物は、上記追込部の上記切断部との境界部付近には上記切断部の刃と連続した刃が形成されているため、刃の領域を十分に確保することができ、これによって比較的太い刈払対象物であっても確実に切断することができる。
また、請求項３記載の刈払機用刃物は、上記刃は下面側のみに傾斜面が形成されたものであるため、切断された刈払対象物が上記刈払機用刃物の上面側に移動するのを防ぎ、上記刈払機用刃物を取り付けた回転軸に絡まるのを防止するとともに、異物が上記刈払機用刃物の上面側、すなわち、作業者の側に飛ばされることも防止することができる。
また、請求項４記載の刈払機用刃物は、上記切断部の刃は上記追込部の刃より鋭利に形成されているため、上記追込部においては刈払対象物を完全に切断せず、上記切断部によって完全に上記刈払対象物を切断するようにし、これによって、上記刈払対象物を確実に切断できるとともに上記切断部による効果を確実に得ることができるようにしている。
また、請求項５記載の刈払機用刃物は、上記追込部の回転方向前方側端部には刃保護部が突出・形成されているため、異物から上記刃を保護することができる。
また、請求項６記載の刈払機用刃物は、上記刈払部の数が３つであるため、上記刈払部を重心のバランスが取れた位置に配置することができ、上記刈払機用刃物の回転中の安定性を高いものとすることができる。また、上記刈払部の数が少ないため、上記追込部の長さを十分に確保することができ、草等の刈払対象物を効果的に上記切断部へと追い込むことができる。
また、請求項７記載の刈払機用刃物は、上記切断部の回転方向後方側への傾斜角度α°が１０°〜３０°であるため、上記刈払対象物の種類に応じて上記角度を適宜設定することで、上記切断部による前述の効果を確実に得ることができる。
また、請求項８記載の刈払機用刃物は、軽量化のための抜き孔が形成されているため、上記刈払機用刃物を軽量化し、作業者の負担を軽減することができる。
【図面の簡単な説明】
【００１３】
【図１】本願発明の一実施の形態を示す図で、本実施の形態による刈払機用刃物を取り付けた刈払機を示す斜視図である。
【図２】本願発明の一実施の形態を示す図で、本実施の形態による刈払機用刃物を刈払機のシャフトに取り付ける様子を示す分解斜視図である。
【図３】本願発明の一実施の形態を示す図で、本実施の形態による刈払機用刃物を上面側から見た状態を示す平面図である。
【図４】本願発明の一実施の形態を示す図で、本実施の形態による刈払機用刃物を上面側から視た斜視図である。
【図５】本願発明の一実施の形態を示す図で、図３におけるＶ−Ｖ断面拡大図である。
【図６】本願発明の一実施の形態を示す図で、図３におけるＶＩ−ＶＩ断面拡大図である。
【図７】本願発明の一実施の形態を示す図で、図３におけるＶＩＩ−ＶＩＩ断面拡大図である。
【図８】本願発明の一実施の形態を示す図で、図８（ａ）は刈払機用刃物を回転させた際の刈払対象物の切断される様子を説明する図で、刈払機用刃物を上面側から視た状態の一部拡大平面図、図８（ｂ）は図８（ａ）におけるｂ−ｂ断面拡大図である。
【図９】従来例を示す図で、刈払機用刃物を示す平面図である。
【図１０】従来例を示す図で、刈払機用刃物を示す平面図である。
【図１１】従来例を示す図で、刈払機用刃物を示す平面図である。
【図１２】従来例を示す図で、刈払機用刃物を示す平面図である。
【発明を実施するための形態】
【００１４】
以下、図１乃至図８を参照して、本願発明の一実施の形態について説明する。
【００１５】
図１は、本実施の形態による刈払機用刃物１を取り付けた刈払機３の全体構成を示す斜視図である。以下、詳細に説明する。まず、シャフト５があり、このシャフト５の先端にはヘッド７が設けられており、このヘッド７に刈払機用刃物１が回転可能に取り付けられている。上記シャフト５の後端にはエンジン９が取り付けられており、このエンジン９の駆動力が上記シャフト５内の図示しない駆動軸を介して上記ヘッド７に伝達され、それによって、上記刈払機用刃物１を回転させる。また、上記シャフト５の長手方向の中央付近には操作ハンドル１１が設けられており、使用時には作業者はこの操作ハンドル１１を把持して上記刈払機３を取り扱う。また、上記操作ハンドル１１にはスロットルレバー１３が取り付けられている。また、上記シャフト５にはストラップ１５が取り付けられており、作業者はこのストラップ１５を装着することによって上記刈払機３を保持することができる。
【００１６】
また、図２に示すように、上記ヘッド７の下面側（図２中下側）には出力軸１７が突出・配置されている。この出力軸１７はエンジン９によって回転されるものである。上記出力軸１７の先端側（図２中下側）には雄ねじ部１９が形成されているとともに、この雄ねじ部１９の基端側（図２中上側）には段付部２１が設けられている。
【００１７】
上記刈払機用刃物１は、図２に示すように、上記刈払機３のヘッド７に取り付けられる。すなわち、上記刈払機用刃物１の取付用孔（図３中符号２８で示す）を上記出力軸の雄ねじ部１９に貫通させ、且つ、上記刈払機用刃物１の上面（図２中上側の面）を上記出力軸１７の段付部２１に当接させた状態とし、上記刈払機用刃物１の下面側（図２中下側）から上記雄ねじ部１９にナット２３を螺合させ、それによって、上記刈払機用刃物１を上記出力軸１７に固定する。
以上が上記刈払機３の全体の説明である。
【００１８】
次に、刈払機用刃物１の構成について詳細に説明する。
この刈払機用刃物１は、本実施例においては、例えば、炭素工具鋼鋼材（ＳＫ材）からなり、その厚さは、例えば、１．０ｍｍである。
上記刈払機用刃物１には、図３に示すように、まず、外周側に複数の刈払部２７が周方向等間隔に設けられている。本実施の形態においては、３個の刈払部２７が、刈払機用刃物１の重心バランスのとれる位置に設けられている。すなわち、上記３個の刈払部２７が、上記刈払機用刃物１の外周側において１２０°毎に配置されている。また、上記刈払機用刃物１には、その中心に取付用孔２８が穿孔されている。この取付用孔２８は、前述したように、上記刈払機用刃物１を刈払機３のヘッド７に取り付ける際、出力軸１７が貫通されるものである。
【００１９】
上記刈払部２７は、図３に示すように、その回転方向後方側（図３中矢印Ａで示す方向の反対側）に直線状の切断部２９を備えている。この切断部２９は、放射方向を基準にして回転方向後方側に所定の角度α°（本実施の形態においては２０°）だけ傾斜した状態で設けられている。
また、上記切断部２９には、草等の刈払対象物（図８中符号４５で示す）を切断するための刃３１が形成されている。この刃３１は、図５に示すように、刈払機用刃物１の上面側（図５中上側の面）の水平面３２と下面側（図５中下側）の傾斜面３３によって形成されている。
【００２０】
また、上記刈払部２７の、上記切断部２９より回転方向前方側（図３中矢印Ａで示す方向側）は追込部３５となっている。この追込部３５は回転方向後方側に向かってその半径Ｒが徐々に小さなっていく曲線状の形状に形成されている。例えば、本実施の形態の場合は、上記追込部３５の回転方向前方側における半径Ｒ１（後述する刃保護部４１部分は除く）は、例えは、１２５ｍｍであり、回転方向後方側端における半径Ｒ２は、例えば、１０５ｍｍとなっている。
なお、本実施の形態においては、上記追込部３５の最大部分の半径Ｒ１（後述する刃保護部４１部分は除く）を基準とすると、上記刈払機用刃物１の回転時の直径は２５０ｍｍとなる。
また、上記追込部３５と上記切断部２９との境界部付近にも刃３７が形成されている。この刃３７は、図３に示すように、既に説明した切断部２９の刃３１と連続して形成されている。また、上記刃３７も、上記刃３１と同様に、図６に示すように、上面側（図５中上側の面）の水平面３８と下面側（図５中下側）の傾斜面３９によって形成されている。
【００２１】
上記刃３１の傾斜面３３の水平面３２（図５中上側の水平な面）に対する傾斜角度β°は、上記刃３７の傾斜面３９の水平面３８（図６中上側の水平な面）に対する傾斜角度γ°よりも小さくなっている。すなわち、上記刃３１は上記刃３７よりも刃先の角度が鋭く鋭利な形状となっている。
また、上記刃３１の傾斜面３３の水平面３２（図５中上側の水平な面）に対する傾斜角度β°は上記切断部２９の全体にわたって一定なものとなっている。これに対して、上記刃３７は、その傾斜面３９の水平面３８（図６中上側の水平な面）に対する傾斜角度γ°が、回転方向後方側から回転方向前方側に向かって徐々に大きくなるように構成されている。
なお、上記刃３１及び上記刃３７は、図３において斜線で示す領域に形成されている。
【００２２】
また、上記追込部３５の回転方向前方側端付近には刃保護部４１が形成されている。この刃保護部４１は、図３に示すように、略台形状の部位である。上記刃保護部４１の断面形状は、図７に示すように、上面（図７中上側の面）も下面（図７中下側の面）も水平となっており、外周縁の端面は上面及び下面に対して垂直となっている。すなわち、切断機能を有する刃は形成されていない。そして、上記刃保護部４１によって、石等の異物から上記刃３１や上記刃３７を保護している。
なお、上記追込部３５の上記刃３７以外の部分も、上記刃保護部４１と同様の断面形状であり、切断機能を有する刃は形成されていない。
【００２３】
また、上記刈払機用刃物１には、その重量を減らすために、複数（本実施の形態の場合は６個）の抜き孔４３が回転中心から等距離であって周方向等間隔（本実施の形態の場合には６０°毎に）に穿孔されている。
以上が、上記刈払機用刃物１の説明である。
【００２４】
次に、刈払機用刃物１の作用について説明する。
前述したように、上記刈払機用刃物１は、刈払機３に取り付けられて使用される。その際、上記刈払機用刃物１は、図３、図８（ａ）に記載された矢印Ａの指す向き（反時計回り方向）へと回転する。図８（ａ）は、上記刈払機用刃物１が矢印Ａ方向に回転した場合の、上記刈払機用刃物１の外周縁部における草等の刈払対象物４５の切断される様子を表した図である。
尚、図８（ａ）においては、草等の刈払対象物を模式的に示している。
【００２５】
まず、草等の刈払対象物４５は、追込部３５の回転方向前方側（図８（ａ）の左方向）から追込部３５へと導入される。このときの草等の刈払対象物４５を図８（ａ）中左端に示す。上記追込部３５に導入された草等の刈払対象物４５は、上記追込部３５の外周縁部に沿って回転方向後方側（図８（ａ）中右方向）に相対的に移動していく。そして、草等の刈払対象物４５は、上記追込部３５の刃３７の位置に達すると、徐々に切断されながら、さらに追込部３５の外周縁部に沿って回転方向後方側（図８（ａ）中右方向）に移動していく。
【００２６】
そして、切断部２９に達すると、草等の刈払対象物４５は、上記切断部２９に沿って、弾き飛ばされることなく、受け流されるように刈払機用刃物１の外周側へと移動していく。その際、切断部２９の刃３１によって完全に切断されることになる。切断された草等の刈払対象物４５は、残された基部４５ａと切断された切断片４５ｂとに分離される。そして、図８に示すように、切断された切断片４５ｂは上記刈払機用刃物１の外周側に飛ばされ、その際、上に跳ね上げられることはない。
【００２７】
本実施の形態において、刈払対象物４５が弾き飛ばされずに回転方向後方側へ受け流されるように刈払機用刃物１の外周側へ移動され、切断片４５ｂが刈払機用刃物１の外周側に飛ばされるのは、例えば、図３に示すように、上記切断部２９が回転方向後方側に傾斜していることによる。また、上記切断片４５ｂが上に跳ね上げられないのは、上記刃３１の下面のみが傾斜面３３となっているからである。
【００２８】
また、図５、図６に示すように、刃３１の下面のみが傾斜面３３となっており、また、刃３７の下面のみが傾斜面３９となっているため、図８（ｂ）に示すように、砂や小石等の異物４７が存在していても、上記刈払機用刃物１の下側へと弾かれるが、上記刈払機用刃物１の上側へと弾かれることはない。そのため、上記異物４７が作業者側に飛散することはない。
【００２９】
また、上記刈払機用刃物１が回転する際、外周方向側に石などの異物が存在していると、上記異物は、まず、刃保護部４１に衝突し、上記刃３１や刃３７には衝突しにくくなっている。また、前述したように、上記切断部２９は回転方向後方側に傾斜しているため、万が一、上記切断部２９に石などの異物が衝突しても、回転方向後方側へ受け流されるように移動され、弾き飛ばされたり砕けて飛び散ったりすることはない。
以上が、本実施の形態による刈払機用刃物１の作用である。
【００３０】
以上、本実施の形態によると次のような効果を奏することができる。
まず、本実施の形態における刈払部２７は、追込部３５と切断部２９とから構成されているので、追込部３５に導入された草等の刈払対象物４５を効率良く切断部２９に追い込むことができる。
また、切断部２９は放射方向を基準に回転方向後方側に所定の角度α°（本実施の形態においては２０°）だけ傾斜した状態で設けられているので、草等の刈払対象物４５は、切断部２９によって弾き飛ばされることなく、回転方向後方側へと受け流されるように移動し、さらに、切断部２９に沿って刈払機用刃物１の外周側へと移動していき、その際、切断部２９によって効率良く切断されることになる。また、万一、上記切断部１９に石などの異物が衝突したとしても回転方向後方側へ受け流され、弾き飛ばされたり砕けて飛び散ったりすることはなく、作業者等の安全が確保される。
更に、上記刈払機用刃物１は刃３７等の構成要素が一体として形成されたものであり、切断用のチップ等を固着させた構成とはなっていないため、使用中にチップ等が欠けたり外れたりして飛び散ることによる事故が起きないようになっている。
【００３１】
また、草等の刈払対象物４５側に刈払機用刃物１を素早く押し付ける必要がないので、作業者への負担も軽減される。
また、切断された切断片４５ｂは刈払機用刃物１の外周側へと移動していくので、上記刈払機用刃物１の回転中心である刈払機３の出力軸１７に切断片４５ｂが絡まることもない。
また、上記刃３１の下面のみが傾斜面３３となっているので、切断された切断片４５ｂが刃３１によって刈払機用刃物１の上面側へ跳ね上げられることはない。このことによっても、上記刈払機用刃物１の回転中心である刈払機３の出力軸１７に切断片４５ｂが絡まることが防止される。
【００３２】
また、上記刈払機用刃物１には複数の上記刈払部２７が形成されているが、本実施の形態においては上記刈払部２７の数は３個と少ないものとなっており、これによって上記刈払部２７の追込部３５を大きいものとすることができる。そのため、効果的に刈払対象物４５を上記切断部２９側へと追い込み、効率的に草等の刈払対象物４５を切断することができることができる。
また、上記刈払部２７の数が少ないために、上記刈払対象物４５に対して上記切断部２９が接触する回数が少なくなり、これによっても上記刈払機用刃物１が上記刈払対象物４５を外周方向に弾き飛ばしてしまうことを抑制している。
また、上記刈払部２７の数は３個であり、且つ、重心のバランスのとれた箇所に配置されているため、上記刈払機用刃物１の回転時における安定性が高く、このことによっても作業者への負担を軽くすることができる。
【００３３】
また、上記切断部２９に刃３１が形成されるとともに上記追込部３５の回転方向後方側の部分にも上記刃３１と連続した刃３７が形成されており、それによって、切断可能な刃の長さを十分に確保することができる。そのため、草等の刈払対象物４５が比較的太い場合であっても、確実に切断することができる。
また、上記刃３１は上記刃３７よりも鋭利であり、且つ、上記刃３７は回転方向後方側に向かうほどが鋭利になっている。そのため、草等の刈払対象物４５は上記刈払機用刃物１の回転によって回転方向後方側へ移動するにしたがって徐々に切断されていき、上記切断部２９において完全に切断されることになる。よって、草等の刈払対象物４５は、上記切断部２９の回転方向後方側への傾斜によって外周方向へと確実に移動されるとともに、切断片４５ｂも、外周方向へ飛ばされることとなる。このことにより、前述した出力軸１７への上記切断片４５ｂの絡み付き防止を確実なものとしている。
【００３４】
また、刃３１の上記刈払機用刃物１の下面側（図５中下側）のみが傾斜面３３になっているとともに、刃３７の上記刈払機用刃物１の下面側（図６中下側）のみが傾斜面３９となっているため、異物４７を上記刈払機用刃物１の下側（図５及び図６の下側）へ弾くが、上記刈払機用刃物１の上側（図５及び図６の下側）へ弾くことはない。そのため、作業者の安全を確保することができる。
【００３５】
また、上記追込部３５の回転方向前方側端部には刃保護部４１が形成されている。そのため、石等の異物から上記刃３１や上記刃３７を保護することができる。
【００３６】
なお、本願発明は前記一の実施の形態に限定されない。
まず、刈払対象物の種類に応じて、刈払部２７の形状や数は様々な場合が考えられる。
例えば、前記一実施の形態においては、刈払部２７を周方向等間隔に３個設けた構成を例に挙げて説明したが、それに限定するものではなく、２個、４個以上の場合も想定される。
また、切断部２９の放射方向を基準にした回転方向後方側の傾斜角度α°としては様々な場合が考えられ、例えば、１０°〜３０°の範囲で任意に設定することが考えられる。
また、追込部３５の最大部分の半径（刃保護部４１部分は除く）を基準とした上記刈払機用刃物１の直径は、様々な場合が考えられ、例えば、２００ｍｍ〜３００ｍｍの範囲で任意に設定することが考えられる。
また、上記刈払機用刃物１の厚みは、様々な場合が考えられ、例えば、０．８ｍｍ〜１．８ｍｍの範囲で任意に設定することが考えられる。
前記一実施の形態の場合には、切断部２９以外に、追込部３５にも刃を設けたが、切断部２９のみに刃を設ける構成も想定される。
また、抜き孔４３の形状や数も様々な場合が考えられる。
また、上記刈払機用刃物１の材質は、様々なものが考えられる。
その他、図示した構成あくまで一例である。
【産業上の利用可能性】
【００３７】
本発明は、例えば、刈払機に取り付けて使用される刈払機用刃物に係り、特に、草等の刈払対象物を弾き飛ばすことなく、確実に切断することができ、且つ、異物や衝撃で破損した破片等を飛び散らせることがなく、安全性が高くなるように工夫したものに係り、例えば、草刈機用に好適である。
【符号の説明】
【００３８】
１  刈払機用刃物
３  刈払機
２７  刈払部
２９  切断部
３１  刃
３３  傾斜面
３５  追込部
３７  刃
３９  傾斜面
４１  刃保護部
４３  抜き孔
【図１】
2013078280.tif 000003
【図２】
2013078280.tif 000004
【図３】
2013078280.tif 000005
【図４】
2013078280.tif 000006
【図５】
2013078280.tif 000007
【図６】
2013078280.tif 000008
【図７】
2013078280.tif 000009
【図８】
2013078280.tif 000010
【図９】
2013078280.tif 000011
【図１０】
2013078280.tif 000012
【図１１】
2013078280.tif 000013
【図１２】
2013078280.tif 000014